(57)【要約】【課題】  除湿のために過冷却した空気を再熱する際のエネルギーを低減することが可能な置換空調システムを提供する。【解決手段】  室内２１の天井２１ａ側の空気Ａを空調機５に導く還気流路２ｂを、第一の還気流路２ｃと第二の還気流路２ｄとに分岐し、第一の還気流路２ｃを外気Ａ４が導入される空調機５の混気箱６に連通させるとともに、第二の還気流路２ｄを混気箱６の下流に配置される温調器７の下流側に連通させ、空調機５から室内２１の居住域Ｓ１に供給される空気Ａ５の性状に基づき室内２１の天井２１ａ側の空気Ａを第二の還気流路２ｄへ分流させる。【選択図】  図１
2011017517.tif 000002
【特許請求の範囲】
【請求項１】
発熱体が設けられた室内における天井側の空気を還気流路を介して空調機に導き、前記還流流路からの空気と外気とを利用して前記空調機により調和空気を生成し、前記空調機からの前記調和空気を前記室内の居住域に供給する空調システムであって、前記還気流路を、第一の還気流路と第二の還気流路とに分岐し、前記第一の還気流路を前記外気が導入される前記空調機の混気箱に連通させるとともに、前記第二の還気流路を前記混気箱の下流に配置され少なくとも冷却機能を有する温調器の下流側に連通させ、前記空調機から前記室内の居住域に供給される空気の性状に基づき前記室内の天井側の空気を前記第二の還気流路へ分流させることを特徴とする置換空調システム。
【請求項２】
前記空調機の混気箱に外気を導入する外気導入流路と前記第一の還気流路とに、空気の流量を制御するモータダンパをそれぞれ設け、前記空調機に導入される外気温度または前記混気箱内の湿球温度に基づき、前記各モータダンパを比例制御することを特徴とする請求項１に記載の置換空調システム。
【請求項３】
前記温調器の下流側には水加湿器が設けられており、該水加湿器からの水分と直接接触する位置に前記第二の還気流路からの空気が直接導入可能であることを特徴とする請求項１または２に記載の置換空調システム。
【発明の詳細な説明】
【技術分野】
【０００１】
この発明は、室内に温度成層を形成することができる置換換気空調システム（以下「置換空調システム」という）に関し、とくに除湿のために過冷却した空気を再熱する際のエネルギーを低減することが可能な置換空調システムに関する。
【背景技術】
【０００２】
空調の多くは、室内全体の空気を攪拌、混合する混合空調によって行われている。しかし、実際に空調を必要とする高さは、床上から数ｍ程度の居住域であることが多く、室内の不必要な空間まで空調することは、エネルギーロスが生じる。そこで、空調エネルギーを低減するため、室内全体の空気が混合するのを回避し、居住域にのみ空調空気を供給するようにした置換空調が知られている（例えば、特許文献１、２、３参照）。特許文献１の方式では、室内の下部に位置する居住域のみに低温の外気を導入し、室内の天井側に溜まっている高温の空気を排出するようにしている。特許文献２の方式では、円筒状のデイフューザー面の背後にバクフィルタを納めた空洞ボックスが取付けられた空気放散口から、室内の空気温度よりも所定温度だけ低い温度に制御された新鮮空気を０．６ｍ/秒以下の低風速で給気している。特許文献３の方式では、置換換気に旋回気流羽根を用いており、作業域全体の空気を攪拌させるために、給気口から平均で０．５ｍ/秒以上でかつ１．２ｍ/秒以下（例えば０．９ｍ/秒以下）の流速で清浄空気を作業域に向けて供給している。
【先行技術文献】
【特許文献】
【０００３】
【特許文献１】特開２００７−２９２３６５号公報
【特許文献２】特許第２８６２１４９号公報
【特許文献３】特開２００８−２２４１４６号公報
【発明の概要】
【発明が解決しようとする課題】
【０００４】
ところで、置換空調においては、夏期には居住域に導入する外気を冷却するとともに除湿する必要がある。室内の除湿は、導入する外気を少なくとも冷却機能を有する温調器によって過冷却することによって行われるが、過冷却した空気をそのまま居住域に供給すると、居住域の温度が必要以上に低下するので、この冷気を設定温度まで再熱する必要があり、その分、エネルギーロスが生じるという問題がある。
【０００５】
そこでこの発明は、除湿のために過冷却した空気を再熱する際のエネルギーを低減することが可能な置換空調システムを提供することを目的とする。
【課題を解決するための手段】
【０００６】
上記目的を達成するために請求項１に記載の発明は、発熱体が設けられた室内における天井側の空気を還気流路を介して空調機に導き、前記還流流路からの空気と外気とを利用して前記空調機により調和空気を生成し、前記空調機からの前記調和空気を前記室内の居住域に供給する空調システムであって、前記還気流路を、第一の還気流路と第二の還気流路とに分岐し、前記第一の還気流路を前記外気が導入される前記空調機の混気箱に連通させるとともに、前記第二の還気流路を前記混気箱の下流に配置され少なくとも冷却機能を有する温調器の下流側に連通させ、前記空調機から前記室内の居住域に供給される空気の性状に基づき前記室内の天井側の空気を前記第二の還気流路へ分流させることを特徴とする置換空調システムである。
【０００７】
この発明によれば、室内に発熱体が設けられているので、発熱体によって加熱された室内の空気は上昇気流となって室内の天井側に溜まることになる。天井側に溜まった高温の空気は、第二の還気流路を介して空調機の温調器の下流側に供給可能であるので、除湿のために温調器によって過冷却された空気を第二の還気流路から供給される高温の空気によって加温することが可能となる。
【０００８】
請求項２に記載の発明は、請求項１に記載の置換空調システムにおいて、前記空調機の混気箱に外気を導入する外気導入流路と前記第一の還気流路とに、空気の流量を制御するモータダンパをそれぞれ設け、前記空調機に導入される外気温度または前記混気箱内の湿球温度に基づき、前記各モータダンパを比例制御することを特徴としている。
【０００９】
請求項３に記載の発明は、請求項１または２に記載の置換空調システムにおいて、前記温調器の下流側には水加湿器が設けられており、該水加湿器からの水分と直接接触する位置に前記第二の還気流路からの空気が直接導入可能であることを特徴としている。
【発明の効果】
【００１０】
請求項１に記載の発明によれば、室内の天井側に存在する高温の空気を第二の還気流路へ分流させるが可能となるので、除湿のために冷却機能を有する温調器によって過冷却された空気を高温の空気によって加温することができる。これにより、室内における天井側の高温の空気を有効利用することでき、夏季などの除湿期における再熱時のエネルギーを低減することができる。
【００１１】
請求項２に記載の発明によれば、空調機に導入される外気温度または混気箱内の湿球温度に基づき各モータダンパを比例制御するようにしているので、外気と室内の天井側の空気とを最適な状態にミキシングすることが可能となり、室内の居住域を最適な温度に保つことができる。
【００１２】
請求項３に記載の発明によれば、水加湿器の下流には、第二の還気流路からの空気が導入可能であるので、空気が乾燥する冬季においては、天井側の高温空気の熱を利用して加湿の乗りをよくすることができる。すなわち、高温の空気は多くの水分を含むことができるので、第二の還気流路から供給される高温の空気を加湿に利用することにより、加湿効果を高めることが可能となる。また、第二の還気流路からの高温の空気の熱を利用することにより、加湿に際して蒸気を使わずに済み、省エネルギーに貢献できる。
【図面の簡単な説明】
【００１３】
【図１】本発明の実施の形態に係わる置換空調システムの概略構成図である。
【図２】図１の置換空調システムの制御系統図である。
【図３】図１の置換空調システムにおける空調機の平面図である。
【図４】図３の空調機の正面図である。
【図５】図１の置換空調システムの夏期制御における外気冷房有効時の各モータダンパの動きを示す特性図である。
【図６】図１の置換空調システムの夏期制御における外気冷房無効時の各モータダンパの動きを示す特性図である。
【図７】図１の置換空調システムの夏期制御における除湿時の冷水三方弁の開度の変化を示す特性図である。
【図８】図１の置換空調システムの冬期制御における各モータダンパの動きを示す特性図である。
【図９】図１の置換空調システムの冬期制御における加湿器の動作を示す特性図である。
【図１０】図１の置換空調システムに適用される空気線図である。
【発明を実施するための形態】
【００１４】
つぎに、この発明の実施の形態について図面を用いて詳しく説明する。
【００１５】
（実施の形態１）
図１ないし図１０は、この発明の実施の形態を示している。図１は、置換空調システム１における空気の流れを示している。置換空調システム１は、各流路２〜４と、空調機５と、建物２０を備えている。空調機５と建物２０は、ダクトで形成される主排気流路２と吹出流路３を介して連通している。建物２０の室内２１の居住域Ｓ１には、発熱体（熱負荷）２２が常時存在している。居住域Ｓ１は、室内２１の床面から上方に所定の距離を有する領域であり、通常人間が生活する空間を意味している。もっとも、例えば工場において生産装置を空調対象とする場合は、該装置の発熱部の高さがＳ１に相当する。室内２１の上部は、熱溜まり領域Ｓ２となっている。熱溜まり領域Ｓ２は、室内２１の天井２１ａから下方に所定の距離を有する領域であり、発熱体２２によって生じた上昇気流Ｈが溜まる空間を意味している。
【００１６】
建物２０の天井２１ａには、吸込口２３が設けられている。吸込口２３は、主排気流路２を介して空調機５側のＲＡファン（排気ファン）１１と連通している。ＲＡファン１１の下流側には、副排気流路２ａが接続されている。熱溜まり領域Ｓ２に存在する空気Ａの一部は、ＲＡファン１１の運転により吸込口２３から吸い込まれ、主排気流路２および副排気流路２ａを介して排気口２ａ１から外部に排出されるようになっている。副排気流路２ａの途中には、還気流路２ｂが接続されている。還気流路２ｂの下流側は、第一の還気流路２ｃと第二の還気流路２ｄとに分岐されている。
【００１７】
図３および図４は、空調機５の構造を示している。空調機５は、主として混気箱６と、温調器７と、加湿器８と、供給ファン１２を有している。温調器７は、冷凍機やボイラに配管を介してつながっており、温調器７には冷凍機やボイラからの熱媒が通液される。すなわち、温調器７は、例えば熱媒が通水可能な冷温水コイルを有しており、冷温水コイルには冷房時に冷水が通水され、暖房時に温水が通水される。ここで、冷温水コイルは、冷水コイルと温水コイルとを別々に設ける構造としてもよい。また、除湿のための過冷却は、冷凍機の増段運転による生成熱媒の低温化によってもよいが、熱媒の流量を弁開度やポンプの制御で増加させて行うことも可能である。
【００１８】
この実施の形態においては、混気箱６と温調器７と加湿器８は、上下２段重ね構造となっている。混気箱６には、エアーフィルタ６ａが設けられている。混気箱６の頂部には、外気Ａ４および第二の還気流路２ｄからの空気Ａ２を各混気箱６内に導入する吸気口５ａが形成されている。空調機５における混気箱６の下流側には、温調器７が設けられている。温調器７は、水の供給によって混気箱６から下流に向けて流れる空気を冷却する機能を有している。温調器７の直下流には、加湿器８が設けられている。加湿器８は、温調器７から下流に向けて流れる空気に水分を供給する機能を有している。ここで加湿器８は、例えば気化式、スプレー式、電熱式のいずれであってもよい。加湿に必要な水分としては、気化式の場合は噴霧水であり、スプレー式の場合は滴下水であり、電熱式の場合は蒸気である。このように加湿器８で生成された水分に対して、熱溜まり領域Ｓ２からの気流を外気との混合等による冷却操作を経ることなく直接接触させているので、水分を高温の空気に多く含ませることが可能となり、加湿効果を高めることが可能となる。すなわち、熱溜まり領域Ｓ２からの空気Ａ３は、熱ロス等による自然に温度降下を別として、高い温度のままの状態で空調機５内に吹き込まれるので、加湿に際して蒸気を使わずに済み、省エネルギーに貢献できる。
【００１９】
空調機５には、加湿器８の下流側に第二の還気流路２ｄを介して供給される熱溜まり領域Ｓ２からの空気Ａ３を導入するための導入口５ｂが形成されている。加湿器８の下流側には、供給ファン１２が設けられている。供給ファン１２は、空調機５によって生成された調和空気Ａ５を建物２０の室内２１へ供給する機能を有している。空調機５の供給ファン１２の上方には、吹出流路３と接続される吹出口５ｃが形成されている。
【００２０】
図１に示すように、建物２０の室内２１における居住域Ｓ１には、低速吹出口を備えた給気チャンバ２４が床に設置されている。給気チャンバ２４は、床近くから順次熱を得た空気を押し上げるように、調和空気Ａ５を低速で居住域Ｓ１に吹き出す機能を有している。つまり、給気チャンバ２４は、調和空気Ａ５が低速で居住域Ｓ１に吹き出されるように例えば抵抗体を備えてかつ低速吹出口の開口面積が大に設定されており、低速吹出口からは室内２１の居住域Ｓ１の床面とほぼ平行に調和空気Ａ５が吹き出されるようになっている。この実施の形態においては、給気チャンバ２４から吹き出される調和空気Ａ５は、最初に接する熱負荷の位置で低速（０．５ｍ/秒以下）になっていればよい。
【００２１】
室内２１の居住域Ｓ１には、調和空気Ａ５により温調された空調空間（居住域Ｓ１）の温度を検知する室内温度センサ２５が設けられている。室内２１における居住域Ｓ１と熱溜まり領域Ｓ２との間には、局所排気用フード２６が設けられている。局所排気用フード２６には、上方に延びる排気流路２７が接続されている。室内２１の空気の一部は、局所排気用フード２６から排気流路２７を介して外部に排出可能となっている。
【００２２】
空調機５の混気箱６に外気Ａ４を導入する外気導入流路４には、ＯＡモータダンパ１３が設けられている。外気導入流路４の上流端には、外気導入口４ａ１が形成されている。ＯＡモータダンパ１３は、混気箱６に流入する空気Ａ４の流量を開度制御によって調整する機能を有している。第一の還気流路２ｃには、ＲＡモータダンパ１４が設けられている。ＲＡモータダンパ１４は、混気箱６に流入する空気Ａ２の流量を開度制御によって調整する機能を有している。第二の還気流路２ｄには、バイパスモータダンパ１５が設けられている。パイパスモータダンパ１５は、空調機５における温調器７の下流側に流入する空気Ａ３の流量を開度制御によって調整する機能を有している。バイパスモータダンパ１５からの還気は、空調機５内の加湿器８を備えたファンセクションに直接導かれる。
【００２３】
各モータダンパ１３〜１５は、制御手段３０から出力される電気信号に基づき、図５に示すように開度が直線的に変化するようになっている。制御手段３０は、例えばコンピュータで各機器を直接制御するＤＤＣ（Ｄｉｒｅｃｔ  Ｄｉｇｉｔａｌ  Ｃｏｎｔｒｏｌｌｅｒ）から構成されている。制御手段３０は、遠方に配置された中央制御装置（図示略）と通信可能となっている。図２に示すように、外気導入流路４におけるＯＡモータダンパ１３の上流側には、外気Ａ４の温度を検知する外気温検知センサ１６が設けられている。空調機５には、熱溜まり領域Ｓ２からの空気Ａ２と外気Ａ４との混合する混気箱６内の湿球温度を検知する湿球温度センサ１７が設けられている。
【００２４】
空調機５には、温調器７に供給する冷水の流量を制御する冷水三方弁７ａと、加湿器８へ水を供給するための電磁弁８ａが設けられている。冷水三方弁７ａは、図５に示すように、制御手段３０から信号に基づき開度が直線的に変化するようになっている。加湿器８による温調器７の下流側の湿度は、電磁弁８ａのオンオフ制御によって調整可能となっている。第二の還気流路２ｄの下流端の開口部（空調機内の空気取入口）２ｄ１は、加湿器８と供給ファン１２との間に位置している。図５および図６に示すように、夏期における除湿再熱制御においては、第二の還気流路２ｄの下流端の開口部２ｄ１からは、温調器７の運転によって過冷却された混合冷気（外気Ａ４と空気Ａ２との混合冷気）に向けて熱溜まり領域Ｓ２からの空気Ａ３が供給されるようになっている。これにより、温調器７からの冷気を設定温度まで再熱することが可能となっている。
【００２５】
空調機５からの調和空気Ａ５を建物２０の室内２１に供給する吹出流路３には、調和空気Ａ５が吹き出されているか否かを検出する吹出しセンサ１８が設けられている。空調機５には、温調器７に生じたドレンを検出するドレン検出センサ１９が設けられている。制御手段３０には、運転制御切換スイッチ３２が接続されており、季節に応じて種々の運転モードを選択することが可能となっている。空調機５の運転時には、運転モード表示ランプ３１によって、運転モードの表示が可能となっている。
【００２６】
つぎに、置換空調システム１における各機器の動作および作用について説明する。
【００２７】
置換空調システム１の運転に際しては、図２における操作スイッチ１１ａをオンとすることにより主排気流路２のＲＡファン１１が起動し、操作スイッチ１２ａをオンとすることにより空調機５の供給ファン１２が起動する。これにより、室内２１の天井２１ａ側の熱溜まり領域Ｓ２の空気Ａが主排気流路２を介して屋外等に排出され、空調機５からの空調空気Ａ５が室内２１の居住域Ｓ１に供給される。
【００２８】
図５は、置換空調システム１の夏期における外気Ａ４を用いた場合の空調制御の各モータダンパ１３〜１５の開度および冷水三方弁７ａの開度の変化を示している。図５に示すように、置換空調システム１においては、室内２１の居住域Ｓ１の温度と給気温度設定値との関係から、除湿再熱、外気冷房、冷水による冷房の制御のうち最適な制御が行われる。
【００２９】
図５における外気冷房による制御の場合は、外気温検知センサ１６により検知される外気Ａ４の温度に基づき、ＯＡモータダンパ１３（図５の丸１）とＲＡモータダンパ１４（図５の丸２）との開度制御が行われる。すなわち、外気冷房の場合は、ＯＡモータダンパ１３とＲＡモータダンパ１４の比例制御が行われ、図１０の空気線図に示すように、室内２１に吹き出す調和空気Ａ５が乾球温度と絶対温度の交点Ｒを通る湿球温度となるように、外気Ａ４と第一の還流流路２ｃからの空気Ａ２がミキシングされる。ここで、室内２１の熱負荷が変動した場合、例えば生産装置の稼動状況の変動に伴い熱負荷が変動した場合は、室内２１の室内温度・湿度センサ２５からカスケード信号を吹出しセンサ１８に送り、カスケード制御によって実際の吹き出し温度の変更を行う。
【００３０】
外気冷房が有効か無効であるかの判断は、室内エンタルピと外気エンタルピとを比較することにより行われる。図６は、外気Ａ４による冷房が無効の場合の空調制御時の各モータダンパ１３〜１５の開度の変化を示している。この場合は、ＯＡモータダンパ１３（図６の丸１）は開度が最小に制御され、ＲＡモータダンパ１４（図６の丸２）の開度が最大に制御される。
【００３１】
図５および図６において、給気温度設定値例えば１７℃に対して所定値を超えて室内２１の居住域Ｓ１の温度が高い場合、例えば生産装置の稼動状況の変動により居住域Ｓ１の
温度が所定値よりも高くなる場合は、冷水による冷房が行われる。すなわち、この場合は温調器７の運転が行われ、温調器７に供給される冷水の流量が冷水三方弁７ａ（図５の丸４）の開度制御によって調整される。また、図５および図６に示すように、給気温度設定値に対して所定値を超えて室内２１の居住域Ｓ１の温度が低い場合は、除湿再熱が行われる。すなわち、除湿再熱の場合は、ＯＡモータダンパ１３（図６の丸１）は開度が最小に制御された状態で、ＲＡモータダンパ１４とバイパスモータダンパ１５（図６の丸３）の開度制御が行われ、温調器７の下流側に熱溜まり領域Ｓ２からの空気Ａ３が導入される（図１０の交点Ｃおよび交点Ｈ参照）。このように、居住域Ｓ１の温度は、室内熱負荷により上昇するため例えば１７℃に設定されており、居住域Ｓ１の温度は給気温度（吹出しセンサ１８からの信号）と比較され、この比較に基づき制御される。
【００３２】
図７は、室内２１の除湿制御における冷水三方弁７ａの開度の変化を示している。図７に示すように、湿度が高くなると冷水三方弁７ａの開度が大となり、温調器７に供給される冷水の流量が増加する。これにより、温調器７を通過する空気が過冷却され、空気に含まれる水分が凝縮して室内２１に供給される調和空気Ａ５の湿度は低下する。ここで、過冷却された調和空気Ａ５をそのまま室内２１に供給すると、室内２１の温度が設定温度よりも低下してしまうので、図５および図６の除湿再熱の制御時には、バイパスモータダンパ１５の開度を制御し、温調器７の下流側に室内２１の熱溜まり領域Ｓ２からの空気Ａ３を導くようにしている。
【００３３】
図８は、置換空調システム１の冬期および中間期（春季、秋季）における空調制御時の各モータダンパ１３、１４の開度の変化を示している。この場合は、混気箱６内の湿球温度を検知する湿球温度センサ１７に基づき各モータダンパ１３、１４の比例制御が行われる。すなわち、図８に示すように、湿球温度が湿球温度設定値よりも低い場合は、ＲＡモータダンパ１４（図８の丸２）の開度が大に制御され、ＯＡモータダンパ１３（図８の丸１）は開度が小に制御される。これと反対に、湿球温度が湿球温度設定値よりも高い場合は、ＲＡモータダンパ１４（図８の丸２）の開度が小に制御され、ＯＡモータダンパ１３（図８の丸１）は開度が大に制御される。ここで、室内２１の熱負荷が変動した場合は、室内２１の室内温度・湿度センサ２５から湿球温度センサ１７にカスケード信号を送り、カスケード制御によって実際の吹き出し温度の変更を行う。
【００３４】
また、冬期における室内加湿制御においては、図９に示すように、室内２１の湿度が室内湿度設定値よりも低い場合は、電磁弁８ａがオンとなり、加湿器８による温調器７の下流側に水分が供給される（図１０の交点Ｍ参照）。また、室内２１の湿度が室内湿度設定値よりも高い場合は、電磁弁８ａがオフとなり、加湿器８への水分の供給が停止される。
【００３５】
空調機５の運転時には、上述したように、運転モード表示ランプ３１によって運転モードの表示が可能となっており、温度・湿度のいずれかが設定値以上となった場合は、運転モード表示ランプ３１は赤色に発光する。また、室内２１と外気エンタルピを比較し、外気冷房が有効な場合は、運転モード表示ランプ３１の発光色は黄色となる。ここで、運転モード表示ランプ３１の点灯を指示する信号を受けて、ＯＡモータダンパ１３に開の指示をさせてもよい。さらに、冷水三方弁７ａが一定時間以上（２４時間）にわたり閉状態の場合は、運転モード表示ランプ３１の発光色は緑色となる。
【００３６】
このように、置換空調システム１においては、室内２１の天井２１ａ側は熱溜まり領域Ｓ２となって高温となっているが、室内２１の下部に位置する居住域Ｓ１には冷たい空調空気Ａ５を低速で供給するようにしているので、居住域Ｓ１の空気と熱溜まり領域Ｓ２の空気との混合が抑制され、室内２１に温度成層を形成することができる。その結果、居住域Ｓ１のみを適温に保つことが可能となり、省エネルギーを図ることができる。そして、この実施の形態のように、室内２１の熱溜まり領域Ｓ２からの空気Ａを第二の還気流路２ｄへ分流させることが可能であるので、温調器７によって過冷却された空気を第二の還気流路２ｄへ分流された熱溜まり領域Ｓ２からの空気Ａ３によって加温することができる。これにより、室内２１における天井２１ａ側の高温の空気Ａを有効利用することでき、置換空調システム１における再熱時のエネルギーを低減することができる。
【００３７】
また、ＯＡモータダンパ１３およびＲＡモータダンパ１４の比例制御によって、外気Ａ４と熱溜まり領域Ｓ２からの空気Ａ２とを最適な状態にミキシングすることが可能となり、室内２１の居住域Ｓ１を最適な温度に保つことができる。さらに、室内２１の湿度調整は、温調器７による除湿だけでなく、暖房時には生産装置等の発生熱を有する還気の熱を利用した水加湿器８による加湿も可能であるので、年間を通じて室内２１の居住域Ｓ１に供給される調和空気Ａ５の湿度を最適に保つことができる。
【００３８】
以上、この発明の実施の形態を詳述してきたが、具体的な構成は上記の実施の形態に限られるものではなく、この発明の要旨を逸脱しない範囲の設計の変更等があっても、この発明に含まれる。例えば、室内２１に設けられる発熱体２２の暖房負荷が小さい場合は、温調器７と最小限の温熱源（図示略）を組み合わせる構成とすることも可能である。また、空調機５はファン部とコイル部が一体のものを例示したが、ファン部とコイル部を別体としてダクトに接続し、ファン部に第二の還気流路２ｄからの空気を吹き込み、コイル部に第一の還気流路２ｃからの空気を吹き込むようにしてもよい。
【符号の説明】
【００３９】
１              置換空調システム
２              主排気流路
２ｂ            還気流路
２ｃ            第一の還気流路
２ｄ            第二の還気流路
３              吹出流路
５              空調機
６              混気箱
７              温調器
７ａ            冷水三方弁
８              加湿器
８ａ            電磁弁
１３            ＯＡモータダンパ
１４            ＲＡモータダンパ
１５            パイパスモータダンパ
１６            外気温検知センサ
１７            湿球温度センサ
１８            吹出しセンサ
２１            室内
２２            発熱体
２５            室内温度・湿度センサ
３０            制御手段
Ｓ１            居住域
Ｓ２            熱溜まり領域
【図１】
2011017517.tif 000003
【図２】
2011017517.tif 000004
【図３】
2011017517.tif 000005
【図４】
2011017517.tif 000006
【図５】
2011017517.tif 000007
【図６】
2011017517.tif 000008
【図７】
2011017517.tif 000009
【図８】
2011017517.tif 000010
【図９】
2011017517.tif 000011
【図１０】
2011017517.tif 000012